(57)【要約】【課題】プッシャ式の払い出し機構を持つ景品払い出し装置において、プレイヤへの誘目性および射幸心を高めることができるとともに後付けする場合にゲーム機側に電気的な変更を施すことなく容易に設置することができるボーナス景品払い出し機構を提供する。【解決手段】ターンテーブル１３から掴み取った景品はキャッチャーアセンブリ１５によってプッシャ機構のスライドテーブル１１の上に落下させることができる。落下した景品はスイラドテーブル１１によって押され、押された景品がスライド機構によって左右に往復動などをしているジャックポット景品をタイミングよく押せば、ジャックポット景品を景品落下口に落とすことができる。【選択図】図２
2008036206.tif 000002
【特許請求の範囲】
【請求項１】
スライドテーブルを前後動させることより固定テーブル上の景品を落下口まで押して払い出すことができるプッシャ機構を有する景品払い出し装置において、
前記プッシャ機構付近に景品払い出し装置筐体内の照明光を受光するソーラー電池を配置し、
プッシャ機構の景品落下位置に、前記ソーラー電池で得られた電気エネルギーによって駆動され、前記スライドテーブルの前後動に対し直角方向に往復動するスライド機構を設け、
前記スライド機構にボーナス景品を搭載し、
前記プッシャ機構によって押される景品を前記ボーナス景品に突き当てることにより前記ボーナス景品を景品落下口から払い出すように構成したことを特徴とするボーナス景品払い出し機構。
【請求項２】
前記スライド機構は直角方向の往復動の他に前記ボーナス景品を回動させる機構を有することを特徴とする請求項１記載のボーナス景品払い出し機構。
【請求項３】
前記固定テーブル上の景品は、プレイヤの操作指示によりキャッチャーアセンブリが景品を摘まみ上げる、または掬い上げて前記プッシャ機構の上に落下させる景品であることを特徴とする請求項１または２記載のボーナス景品払い出し機構。
【発明の詳細な説明】
【技術分野】
【０００１】
本発明は、プッシャ式の払い出し機構を持つ景品払い出し装置のボーナス景品払い出し機構に関する。
【背景技術】
【０００２】
景品払い出し装置としてプッシャ式の払い出し機構を持つクレーンゲーム機が存在する。このクレーンゲーム機は、通常、多数の景品を搭載した移動板（回転テーブルなど），この移動板の景品を摘まみ上げる、または掬い上げるキャッチャーアセンブリならびにキャッチャーアセンブリで確保した景品を落下させ、その景品を景品落下口の方向に押す機能を有するプッシャ機構を備えるのが一般的な構成である。プレイヤがコインなどを投入することによりプレイ回数が指定され、これによりキャッチャーアセンブリに始動支持を与えると、キャッチャーアセンブリは移動板から景品を摘まみ上げる、または掬い上げてプッシャ機構のスライドテーブルの上に落下させる動作を行う。スライドテーブルは固定テーブルの上を前後動しており、スライドテーブルの繰り返し動作により、固定テーブル上の景品は景品落下口へと移動させられる。そして、固定テーブルの先端を越えて押されると、景品は落下口まで達し払い出されることとなる。
【０００３】
上記のようなクレーンゲーム機は大当たりのジャックポット景品の払い出しを行うものも実用に供されている。このクレーンゲーム機は通常の景品払い出しに対して付加要素的な払い出しとして用いられ、ジャックポットの存在により遊戯者に対して景品獲得の興趣を高めている。
プッシャ機構のプッシャにより通常景品が押されてジャックポット払い出しのスイッチ部と接触することによりジャックポット払い出し機構が作動する。
【０００４】
ジャックポット払い出しは多くのゲーム装置では筐体内部に後付けで装置を取り付けてジャックポット景品を提供することが多く、その構造も比較的単純なものである。
また、払い出し機構は筐体内部にジャックポット景品が配置されるだけで、プレイヤに対して誘目性やアピール度が高いとは言えない状況である。
さらに、配線や電源のメンテナンスの問題から電動の払い出し機構を後付けで組み入れることは困難である。
【特許文献１】特開２００５−８１０１８号公報
【発明の開示】
【発明が解決しようとする課題】
【０００５】
ボーナス景品を払い出すクレーンゲーム装置として箱型コンテナなどを設け、これに景品を貯留したものが提案されている（特許文献１）。この提案は、景品によって箱型コンテナが押され、固定テーブルの端部から外れる位置まで達したとき箱型コンテナ中のボーナス景品を確実に排出するもので、箱型コンテナは、単に景品によって機械的に押されるのみで上述の提起理由と同様、プレイヤに対し誘目性やアピール度があるものではない。また、電動で動くものでもない。
【０００６】
本発明は上記状況に鑑みなしたもので、その目的は、プッシャ式の払い出し機構を持つ景品払い出し装置において、プレイヤへの誘目性および射幸心を高めることができるとともに後付けする場合にゲーム機側に電気的な変更を施すことなく容易に設置することができるボーナス景品払い出し機構を提供することにある。
【課題を解決するための手段】
【０００７】
前記目的を達成するために本発明の請求項１は、スライドテーブルを前後動させることより固定テーブル上の景品を落下口まで押して払い出すことができるプッシャ機構を有する景品払い出し装置において、前記プッシャ機構付近に景品払い出し装置筐体内の照明光を受光するソーラー電池を配置し、プッシャ機構の景品落下位置に、前記ソーラー電池で得られた電気エネルギーによって駆動され、前記スライドテーブルの前後動に対し直角方向に往復動するスライド機構を設け、前記スライド機構にボーナス景品を搭載し、前記プッシャ機構によって押される景品を前記ボーナス景品に突き当てることにより前記ボーナス景品を景品落下口から払い出すように構成したことを特徴とする。
本発明の請求項２は、請求項１記載の発明において直角方向の往復動の他に前記ボーナス景品を回動させる機構を有することを特徴とする。
本発明の請求項３は、前記固定テーブル上の景品は、プレイヤの操作指示によりキャッチャーアセンブリが景品を摘まみ上げる、または掬い上げて前記プッシャ機構の上に落下させる景品であることを特徴とする。
【発明の効果】
【０００８】
上記構成によれば、プレイヤに近い場所で常に動いているボーナス景品を設置できるので、プレイヤへの誘目性を高めることができる。また、特別の景品を移動させているためプレイヤの射幸心をくすぐる。
ゲーム機筐体内の光源からソーラー電池で電気エネルギーを得てスライド機構を左右に駆動する構成であるため、ゲーム機側について電気回路構成の変更の必要はなく、プッシャー機構があるゲーム装置であれば、ゲーム機の種類を選ぶことなく後付けで設置することが可能である。
利用形態の１つとしてソーラー電池から供給される電力をコンデンサなどに貯めておき、充電したエネルギで使用することも可能になる。
【発明を実施するための最良の形態】
【０００９】
以下、図面を参照して本発明の実施の形態を詳しく説明する。
図１は、本発明によるボーナス景品払い出し機構を設置した景品払い出し装置の外観を示す斜視図で、クレーンゲーム装置に適用した例である。
クレーンゲーム端末が４基設置されたもので、第１ターミナルから第４のターミナルが９０度間隔でクレーンゲーム装置内に設置されている。透明のドーム４内にはクレーン機構およびプッシャ機構が配置されている。
【００１０】
各ターミナルの操作パネル面にはクレーンを操作し景品を掴むボタン２，クレーンで掴んだ景品を落とすボタン３，コイン投入口１０，投入コイン表示部７およびプレイ数表示部８が設けられている。
操作パネルの前面下部に設けられた保守のためのターミナルドア９には、ゲーム音等を出力するスピーカ５および景品取り出し口６が配置されている。
各ターミナルでは各プレイヤがコインを投入することにより、コイン投入に対応するプレイ数が表示され、クレーンおよび景品払い出しゲームを個別に行うことができる。
【００１１】
図２は、図１のドーム内の各ターミナルの詳細を説明するための斜視図である。
ドーム内の中央の支持枠２２にはサークル管蛍光灯１９が設置され、さらに支持枠２２下部にコンパクト型蛍光灯２１が配置され、ドーム内全体を照明している。
クレーンゲーム装置底部に設けられているターンテーブル１３は回転しており、その上に多数の景品（図示されていない）が搭載されている。
支持枠２２にはターミナル毎にキャッチャーアセンブリ１５が吊り下げられており、各キャッチャーアセンブリ１５は、プレイヤのボタン操作にしたがってターンテーブル１３の回転方向に移動可能であり、また、降下および上昇動作を行う。キャッチャーアセンブリ１５のアーム１７は下降時ターンテーブル上の景品を掴むためアームを閉じる方向に動作する。
【００１２】
各ターミナルのプッシャ機構は固定テーブル１２と、固定テーブル１２の上を前後に往復動するスライドテーブル１１より構成されている。また、固定テーブル１２の前面側の落下口にはスライド機構が設けられ、プッシャ機構の側部にソーラー電池１６が配置されている。ソーラー電池１６はサークル管蛍光灯１９およびコンパクト型蛍光灯２１からの照明によって光エネルギーを電気エネルギーに変換する。このように発生した電気エネルギーはスライド機構を左右に往復動させるエネルギーとして用いられる。
【００１３】
図３は、本発明によるボーナス景品払い出し機構の実施の形態を示す斜視図である。
キャッチャーアセンブリ１５のアーム１７から落とされた景品２５がスライドテーブル１１の上に載っている状態が示されている。
図２においてプレイヤが、あるタイミングで掴むボタン２を押すことにより、キャッチャーアセンブリ１５はターンテーブル１３の近くまで降下する。そして、アーム１７が景品を掴んで上昇しプッシャ機構の上部方向に移動を開始し、キャッチャーアセンブリ１５がプッシャ機構のスライドテーブル１１上に達したときに、プレイヤが落とすボタン３を押すことにより、掴んだ景品は落下する。
【００１４】
スライドテーブル１１は矢印２２の方向に前後動を繰り返しており、２点鎖線で描く位置まで前進し、その先端１１ａが背面壁１４と揃う位置まで後退する。スライドテーブル１１の先端１１ａが背面壁１４位置まで後退することにより、キャッチャーアセンブリより落下した景品２５は固定テーブル１２上に落下する。固定テーブル１２上に落下した景品２５はスライドテーブル１１が前進するときにその先端１１ａで押されて固定テーブル１２上の前方に押し出される。
スライド機構のスライド基部２７は固定テーブル１２の前面の景品落下口部分に設置されており、ボーナス景品であるジャックポット景品２６を搭載する景品搭載板２８がスライド基部２７に取り付けられている。景品搭載板２８は軸２３を中心に所定角だけ揺動しながら左右方向に往復動させられる。
【００１５】
また、プッシャ機構の側部には筐体内部の照明を受光するソーラー電池１６を組み込んだ電池枠１６ａを支持するソーラー電池支持部３０が取り付けられている。
ソーラー電池１６で得られる光エネルギーは電気エネルギーに変換されて上記景品搭載板２８の揺動および往復動の動力源として用いられている。
上述したように固定テーブル１２上を押される景品２５が、揺動するとともに左右に動いているジャックポット景品２６にタイミングよく当たれば、ジャックポット景品２６を景品搭載板２８から押し出すことができ落下口にジャックポット景品２６を落とすことができる。なお、押された景品も同時に落とすことができる。
【００１６】
図４はスライド機構部の構造を説明するための図である。
景品搭載板２８はシャフト３２に固定されピニオン３１と一体に動くようになっている。スライド基部２７にはラック２９とガイド板４０が設けられ、ガイド板４０にはピニオン３１を案内するためのガイド溝４０ａが形成されている。ピニオン３１はその歯部３１ａがラック２９の歯部２９ａに歯合するとともにガイド板４０のガイド溝４０ａに係合して取り付けられている。ピニオン３１の軸にはモータの出力が接続されており、モータは可逆動作をするように制御されている。
モータが時計方向に回転すると、それに伴ってピニオン３１は矢印３６の方向を右方向に移動するとともにピニオン３１が回転するため景品搭載板２８も右方向に移動しながら右回転する。モータが所定の回転数に達したとき反転し、反時計方向に回転を開始する。これにより景品搭載板２８は左方向に移動しながら左回転し、この動作を繰り返すこととなる。
【００１７】
図６は、本発明によるボーナス景品払い出し機構の回路の実施の形態を示す回路図である。蛍光灯による照明光はソーラー電池１６によって電気エネルギーに変換させられ、所定電圧を出力するように充電回路３５で調整され、制御回路３６およびモータ３７の電源になっている。制御回路３６は所定回転数毎にモータ３７を反転駆動する信号を出力する。充電回路３５および制御回路３６は制御基板に搭載され、制御基板ならびに制御基板とモータおよびソーラー電池を接続する配線はソーラー電池支持部３０に内蔵されている。
【００１８】
図５は、スライド機構部の他の構造を説明するための図である。
この実施の形態は、景品搭載板２８を左右に往復動させる例である。
スライド基部３７には２つのレール３７ａ，３７ｂが掛け渡されており、このレール３７ａ，３７ｂ上に景品搭載板２８はスライド可能に搭載されている。景品搭載板２８の下面には長孔３３ａを有するピンガイド３３が取り付けられている。長孔３３ａには偏芯板３４に植設されたピン３４ａが係合している。偏芯板３４の軸は直接またはギヤを介してモータの出力軸に接続されている。モータを一方向に回転させることにより、ジャックポット景品２６は矢印３８，３９の方向に繰り返し往復動する。モータ駆動回路は制御基板に搭載され、制御基板ならびに制御基板とソーラー電池およびモータに接続する配線はソーラー電池支持部３０に内蔵されている。
【００１９】
以上の実施の形態は、景品払い出し装置としてクレーンゲーム機に適用した例を示したが、景品をプッシャするプッシャ機構を有するものであれば、ボーナス景品払い出し機構を、そのゲーム装置の電気回路を変更することなく設置することが可能である。
【産業上の利用可能性】
【００２０】
アーケードゲームセンターやイベント会場などに設置される、プッシャ式の払い出し機構を持つ景品払い出し装置である。
【図面の簡単な説明】
【００２１】
【図１】本発明によるボーナス景品払い出し機構を設置した景品払い出し装置の外観を示す斜視図で、クレーンゲーム装置に適用した例である。
【図２】図１のドーム内の各ターミナルの詳細を説明するための斜視図である。
【図３】本発明によるボーナス景品払い出し機構の実施の形態を示す斜視図てある。
【図４】スライド機構部の構造を説明するための図である。
【図５】スライド機構部の他の構造を説明するための図である。
【図６】本発明によるボーナス景品払い出し機構の回路の実施の形態を示す回路図である。
【符号の説明】
【００２２】
１  クレーンゲーム装置  
２  掴むボタン  
３  落とすボタン  
４  ドーム  
５  スピーカ  
６  景品取り出し口
７  投入コイン表示部
８  プレイ数表示部
１０  コイン投入口
１１  スライドテーブル
１２  固定テーブル
１３  ターンテーブル
１４  背面壁
１５  キャッチャーアセンブリ
１６  ソーラー電池
１７  アーム
１８  景品落とし口
１９  サークル管蛍光灯
２０  センターディスプレイ
２１  コンパクト型蛍光灯
２５  景品
２６  ジャックポット景品
２７  スライド基部
２８  景品搭載板
２９  ラック
３０  電池支持部
３１  ピニオン
３２  シャフト
【図１】
2008036206.tif 000003
【図２】
2008036206.tif 000004
【図３】
2008036206.tif 000005
【図４】
2008036206.tif 000006
【図５】
2008036206.tif 000007
【図６】
2008036206.tif 000008